(57)【要約】  本発明の実施例に係る副鼻腔進入用内視鏡は、複数の操作部が備えられた本体、前記本体の前端から延長されて鼻腔を通して副鼻腔に挿入され、少なくとも一つのワーキングチャネルが形成された挿入部、及び前記本体に備えられ、前記ワーキングチャネルを通して選択的に進入可能な複数のアプリケータを装着することができるアプリケータロッド部を含む。
2021516116.tif 000002
【特許請求の範囲】
【請求項１】
複数の操作部が備えられた本体；
前記本体の前端から延長されて鼻腔を通して副鼻腔に挿入され、少なくとも一つのワーキングチャネルが形成された挿入部；及び、
前記本体に備えられ、前記ワーキングチャネルを通して選択的に進入可能な複数のアプリケータを装着することができるアプリケータロッド部；を含む、副鼻腔進入用内視鏡。
【請求項２】
前記アプリケータロッド部は、複数のアプリケータのうちいずれか一つが前記ワーキングチャネルと同軸上に位置するようにする、請求項１に記載の副鼻腔進入用内視鏡。
【請求項３】
前記複数の操作部は、ユーザの操作により前記アプリケータロッド部を駆動させることで、前記複数のアプリケータのうちいずれか一つを前記ワーキングチャネルの入口に隣接するように位置させるアプリケータ選択操作部を含む、請求項１または請求項２に記載の副鼻腔進入用内視鏡。
【請求項４】
前記アプリケータロッド部は、前記アプリケータ選択操作部の操作によって前記複数のアプリケータを回転軸を中心として回転させる、請求項３に記載の副鼻腔進入用内視鏡。
【請求項５】
前記複数の操作部は、ユーザの操作により前記複数のアプリケータのうち前記ワーキングチャネル内に進入したアプリケータを前記ワーキングチャネルを通して移動させるアプリケータ移動操作部を含む、請求項１に記載の副鼻腔進入用内視鏡。
【請求項６】
前記挿入部は、前記挿入部の前端に備えられてイメージを取得するイメージ取得ユニットを含む、請求項１に記載の副鼻腔進入用内視鏡。
【請求項７】
前記挿入部は、
前記本体の前端から延長される強性部；及び、
前記強性部の前端から延長されて屈曲可能に形成される軟性部；を含み、
前記複数の操作部は、
ユーザの操作により前記軟性部を屈曲させる屈曲操作部を含む、請求項１に記載の副鼻腔進入用内視鏡。
【請求項８】
前記複数のアプリケータは、ガイドワイヤ、バルーンカテーテル、及びステントカテーテルのうち少なくとも一つを含む、請求項１に記載の副鼻腔進入用内視鏡。
【請求項９】
複数の操作部が備えられた本体；
前記本体の前端から延長されて鼻腔に挿入される強性部；
前記強性部の前端から延長されて屈曲可能に形成され、先端に副鼻腔に挿入される軟性部；
前記軟性部の前端に備えられて前記軟性部の前方のイメージを取得するイメージ取得ユニット；及び、
ユーザの操作により前記軟性部を屈曲させる屈曲操作部；を含む、副鼻腔進入用内視鏡。
【請求項１０】
複数の操作部が備えられた本体；
前記本体の前端から延長されて患者の身体内に挿入されて少なくとも一つのワーキングチャネルが形成された挿入部；及び、
複数のアプリケータを装着することができるように構成されて前記本体に回転可能に備えられ、回転角度によって装着された前記複数のアプリケータを前記ワーキングチャネルに整列させるアプリケータロッド部；を含む、内視鏡。
【発明の詳細な説明】
【技術分野】
【０００１】
本発明は、内視鏡に関し、より詳しくは、副鼻腔炎の治療にも使われることができる内視鏡に関する。
【背景技術】
【０００２】
慢性副鼻腔炎は、韓国人口の８．６％で発生するありふれた疾患である。慢性副鼻腔炎の手術的治療時に施行する機能的副鼻腔内視鏡手術（Ｆｕｎｃｔｉｏｎａｌ  ｅｎｄｏｓｃｏｐｉｃ  ｓｉｎｕｓ  ｓｕｒｇｅｒｙ）は、大部分の場合、全身麻酔が必要であり、まれに眼窩合併症、脳出血等、深刻な合併症を誘発することができる。
【０００３】
また、手術時に周辺組織に損傷を与えるため、手術後痛み、及び回復が遅い方である。このような問題点を改善するために鼻腔内に小さいバルーンカテーテルを挿入して周辺構造物の損傷を最小化しながら副鼻腔自然孔を開ける手術法が開発された。これは、局部麻酔、短い回復時間、合併症発生率の減少、手術後管理が簡単であるといったような長所がある。
【０００４】
バルーンカテーテルを挿入するための装備として、大きく二つの種類が使われている。
【０００５】
一つは、発光ランプが装着されたガイドワイヤを利用する方法である。副鼻腔の自然孔は、鉤状突起及び篩骨洞に遮られているため、通常的に強直型内視鏡だけでは自然孔を直接確認することが不可能である。したがって、内視鏡誘導下にガイドワイヤを副鼻腔入口まで挿入し、以後には自然孔の解剖学的位置と方向を考慮して目で直接確認しないまま、触感に依存してガイドワイヤを自然孔まで前進及び後進を繰り返して自然孔にガイドワイヤの先端を挿入しなければならない。ガイドワイヤの先端が自然孔に挿入されたと判断されると、開口部周囲、顔面外部でガイドワイヤの発光位置を確認してガイドワイヤが上顎洞または前頭洞等に進入したことを確認し、ガイドワイヤに沿ってバルーンカテーテルを進入させる。しかし、鼻腔及び副鼻腔の内部構造を確認しないで、発光位置のみを外部で確認してガイドワイヤを挿入する方式であるため、鼻腔や副鼻腔の周辺組織や構造を損傷させることができ、初心者が使用しにくいという問題がある。
【０００６】
他の一つは、別途のナビゲーション装備を利用して侵襲子が副鼻腔内に挿入されたかどうかを間接的に確認する装備である。これは、高価のナビゲーション装備が必要であり、ナビゲーション装備の誤差によって鼻腔や副鼻腔の周辺組織や構造を損傷させる可能性が存在する。
【発明の概要】
【発明が解決しようとする課題】
【０００７】
本発明が解決しようとする課題は、鼻腔及び副鼻腔内部の映像をリアルタイムで確認してガイドワイヤなどのアプリケータを挿入することができる内視鏡を提供することにある。
【０００８】
また、複数のアプリケータをさらに容易に速く手術部位に進入させることができる内視鏡を提供することにある。
【０００９】
本発明の課題は、以上で言及した課題に制限されるものではなく、言及されない他の課題は、下記の記載により当業者が明確に理解することができる。
【課題を解決するための手段】
【００１０】
前記課題を解決するための本発明の実施例に係る副鼻腔進入用内視鏡は、複数の操作部が備えられた本体、前記本体の前端から延長されて鼻腔を通して副鼻腔に挿入され、少なくとも一つのワーキングチャネルが形成された挿入部、及び前記本体に備えられ、前記ワーキングチャネルを通して選択的に進入可能な複数のアプリケータを装着することができるアプリケータロッド部を含む。
【００１１】
前記課題を解決するための本発明の実施例に係る副鼻腔進入用内視鏡は、複数の操作部が備えられた本体、前記本体の前端から延長されて鼻腔に挿入される強性部、前記強性部の前端から延長されて屈曲可能に形成され、先端に副鼻腔に挿入される軟性部、前記軟性部の前端に備えられて前記軟性部の前方のイメージを取得するイメージ取得ユニット、及びユーザの操作により前記軟性部を屈曲させる屈曲操作部を含む。
【００１２】
前記課題を解決するための本発明の実施例に係る内視鏡は、複数の操作部が備えられた本体、前記本体の前端から延長されて患者の身体内に挿入されて少なくとも一つのワーキングチャネルが形成された挿入部、及び複数のアプリケータを装着することができるように構成されて前記本体に回転可能に備えられ、回転角度によって装着された前記複数のアプリケータを前記ワーキングチャネルに整列させるアプリケータロッド部を含む。
【００１３】
本発明のその他の具体的な事項は、詳細な説明及び図面に含まれている。
【発明の効果】
【００１４】
本発明の実施例によると、少なくとも下記のような効果がある。
【００１５】
鼻腔及び副鼻腔内部の映像をリアルタイムで確認してガイドワイヤなどのアプリケータを進入させることができるため、より安全な手術が可能である。
【００１６】
複数のアプリケータをさらに容易に速く手術部位に進入させることができるため、手術便宜性を向上させて、手術所要時間を短縮させることができる。
【００１７】
本発明による効果は、以上で例示された内容により制限されるものではなく、さらに多様な効果が本明細書内に含まれている。
【図面の簡単な説明】
【００１８】
【図１】本発明の一実施例に係る内視鏡を示す斜視図である。
【図２】本発明の一実施例に係る内視鏡の挿入部の前端を示す。
【図３】本発明の一実施例に係る内視鏡のアプリケータロッド部を示す。
【図４】本発明の一実施例に係る内視鏡のワーキングチャネルとアプリケータロッド部のローディングホールの位置関係及びアプリケータ選択操作部の作動を説明するための透視図である。
【図５】本発明の一実施例に係る内視鏡の屈曲操作部の作動を説明するための図面である。
【図６】本発明の一実施例に係る内視鏡を副鼻腔炎の治療に使用する方法を説明するための図面である。
【図７】本発明の一実施例に係る内視鏡のアプリケータ移動操作部の作動を説明するための図面である。
【図８】アプリケータのうちバルーンカテーテルを使用する例を説明するための図面である。
【図９】他の実施例に係るバルーンカテーテルを示す。
【図１０】アプリケータのうちステントカテーテルを使用する例を説明するための図面である。
【図１１】アプリケータのうちチューブを使用する例を説明するための図面である。
【発明を実施するための形態】
【００１９】
本発明の利点及び特徴、並びにそれらを達成する方法は、添付図面と共に詳細に後述される実施例を参照すると、明確になる。しかし、本発明は、以下で開示される実施例に限定されるものではなく、互いに異なる多様な形態で具現されることができる。本実施例は、単に本発明の開示が完全になるようにし、本発明が属する技術分野において通常の知識を有する者に発明の範ちゅうを完全に知らせるために提供されるものに過ぎず、本発明は、請求項の範ちゅうにより定義される。明細書全体にわたって同一参照符号は、同一構成要素を指す。
【００２０】
また、本明細書で記述する実施例は、本発明の理想的な例示図である断面図及び／または概略図を参考にして説明される。したがって、製造技術及び／または許容誤差などにより例示図の形態が変形されることができる。また、本発明に図示された各図面において、各構成要素は、説明の便宜を考慮して多少拡大または縮小されて図示されたものである。明細書全体にわたって同一参照符号は、同一構成要素を指す。
【００２１】
以下、本発明の実施例に係る治療装置を説明するための図面を参考にして本発明に対して説明する。
【００２２】
図１は、本発明の一実施例に係る内視鏡を示す斜視図である。
【００２３】
図１に示すように、本発明の一実施例に係る内視鏡１は、本体１０、挿入部２０、及びアプリケータロッド部３０を含む。挿入部２０は、本体１０の前端から延長形成されることができ、アプリケータロッド部３０は、本体１０の後端側に回転可能に設置されることができる。
【００２４】
本体１０には、握り手１１、アプリケータ選択操作部１２、屈曲操作部１３、及びアプリケータ移動操作部１４が備えられる。
【００２５】
握り手１１は、内視鏡１を操作するユーザ（例えば、医者等）が手で把持する構成である。
【００２６】
アプリケータ選択操作部１２は、アプリケータロッド部３０を操作する構成であり、握り手１１の前方に引き金と類似する構造で形成されることができる。アプリケータ選択操作部１２の操作によるアプリケータロッド部３０の駆動に対しては後述する。
【００２７】
屈曲操作部１３は、挿入部２０のうち軟性部２２の屈曲方向を操作する構成であり、本体１０の一側に配置されることができる。図１に示す実施例に係る内視鏡１は、ユーザが右手で握り手１１を把持した状態で右手の親指で屈曲操作部１３を操作することができるモデルを図示したものであり、実施例によって、屈曲操作部１３は、反対側に配置されるようにして、ユーザが左手で握り手１１を把持した状態で左手の親指で屈曲操作部１３を操作することができるように構成することもできる。
【００２８】
屈曲操作部１３の操作によるアプリケータの移動に対しては後述する。
【００２９】
アプリケータ移動操作部１４は、アプリケータが挿入部２０の内部に沿って前進または後進するように操作する構成であり、本体１０の上部に配置されることができる。ユーザが両手のうち片手で握り手１１を把持した状態で他の手でアプリケータ移動操作部１４を操作することができる。図１にはアプリケータ移動操作部１４が本体１０の上側に配置される構成を図示したが、実施例によって、アプリケータ移動操作部１４の位置は変わることができる。例えば、アプリケータ移動操作部１４は、屈曲操作部１３の前方または反対側に位置できる。
【００３０】
図１に示すように、挿入部２０は、強性部２１及び軟性部２２を含む。
【００３１】
強性部２１は、本体１０の前端から前方に向けて延長形成され、軟性部２２は、強性部２１の前端から延長形成される。
【００３２】
前述したように、軟性部２２は、少なくとも２個の方向に容易に曲がることができる構造または材質で形成される。それに対して、強性部２１は、軟性部２２に比べて容易に曲がらない強性の構造または材質で形成される。
【００３３】
図２は、本発明の一実施例に係る内視鏡の挿入部の前端を示す。
【００３４】
図２に示すように、挿入部２０は、ワーキングチャネル２３、イメージ取得ユニット２４、２５、２６を含む。
【００３５】
ワーキングチャネル２３は、内視鏡１を通して進入するアプリケータ（ガイドワイヤ、バルーンカテーテル、ステントカテーテル、チューブなど）が通過するチャネルである。
【００３６】
イメージ取得ユニット２４、２５、２６は、軟性部２２の前端を通して身体内部のイメージを取得するユニットであり、レンズ２４、光源２５、ケーブル２６を含む。
【００３７】
レンズ２４及び光源２５は、軟性部２２の前端に備えられる。光源２５は、軟性部２２の前方に照明を提供し、ケーブル２６は、光源２５に供給される電力を提供する。レンズ２４は、表面に疏水性処理されて表面にシモが形成されることを防止することができる。
【００３８】
ケーブル２６及びワーキングチャネル２３は、軟性部２２及び強性部２１を通過して本体１０まで延長形成される。
【００３９】
図示されてはいないが、イメージ取得ユニット２４、２５、２６は、レンズ２４の後端から内視鏡１の外部に延長される光ケーブルを含むことができる。光ケーブルの端部にはイメージセンサなどが接して光ケーブルを通して伝達される光学情報を画像イメージに転換させることができる。
【００４０】
図示されてはいないが、イメージ取得ユニット２４、２５、２６は、光ケーブルの代わりに小型カメラを含むことができる。この場合、小型カメラが撮影した映像情報を電気的信号に内視鏡１の外部に伝達されることができる。
【００４１】
図３は、本発明の一実施例に係る内視鏡のアプリケータロッド部を示し、図４は、本発明の一実施例に係る内視鏡のワーキングチャネルとアプリケータロッド部のローディングホールの位置関係及びアプリケータ選択操作部の作動を説明するための透視図である。
【００４２】
図１及び図３に示すように、アプリケータロッド部３０は、本体１０の後端側に回転軸Ａ１を中心として回転可能に備えられる。
【００４３】
アプリケータロッド部３０は、回転軸Ａ１を中心として放射状に配置された複数のローディングホール３１、３２、３3を含む。各ローディングホール３１、３２、３３は、回転軸Ａ１との距離が同一に形成されることができる。
【００４４】
各ローディングホール３１、３２、３３には内視鏡１を通して身体内に進入するアプリケータが装着される。これに対する具体的な内容は後述する。
【００４５】
図４に示すように、ワーキングチャネル２３は、軟性部２２の前端から軟性部２２、強性部２１、及び本体１０を通してアプリケータロッド部３０まで延長される。
【００４６】
そして、アプリケータロッド部３０のローディングホール３１、３２、３３のうちいずれか一つは、ワーキングチャネル２３と同軸上に位置する。したがって、ワーキングチャネル２３と同軸上に位置したローディングホール３３（図４基準）に装着されたアプリケータは、ワーキングチャネル２３に進入できるようになる。
【００４７】
図４に示すように、アプリケータロッド部３０は、アプリケータ選択操作部１２が引かれる動作により回転軸Ａ１を基準に一定角度ほど回転するように構成されることができる。
【００４８】
したがって、ユーザは、握り手１１を把持したままアプリケータ選択操作部１２を引くことだけでアプリケータロッド部３０を回転させてワーキングチャネル２３を通して進入させるアプリケータを選択することができる。
【００４９】
したがって、内視鏡１を利用した手術、治療などに複数のアプリケータが使われる場合、ユーザは、複数のアプリケータをアプリケータロッド部３０のローディングホール３１、３２、３３に各々装着したまま、必要によって、アプリケータ選択操作部１２を引いて必要なアプリケータがワーキングチャネル２３と同軸上に位置するようにした後、アプリケータをワーキングチャネル２３に進入させることができるため、ユーザ便宜性が向上して、手術／治療過程に所要される時間を短縮させることができる。
【００５０】
図５は、本発明の一実施例に係る内視鏡の屈曲操作部の作動を説明するための図面である。
【００５１】
図５に示すように、軟性部２２は、屈曲操作部１３が時計方向または反時計方向に回転することによって第１の方向または第２の方向に屈曲されるように構成される。
【００５２】
例えば、屈曲操作部１３を時計方向に回転させると、軟性部２２の前端が第１の方向に屈曲され、屈曲操作部１３を反時計方向に回転させると、軟性部２２の前端が第２の方向に屈曲されるように構成されることができる。
【００５３】
第１の方向と第２の方向は、各々、左右方向になり、または上下方向になることができる。
【００５４】
図６は、本発明の一実施例に係る内視鏡を副鼻腔炎の治療に使用する方法を説明するための図面である。
【００５５】
図６に示すように、本発明の一実施例に係る内視鏡１は、副鼻腔炎の治療のために副鼻腔進入用に使われることができる。
【００５６】
副鼻腔は、鼻腔１０１と連結される顔骨の空いている空間を意味し、両頬の内側空間である上顎洞１０２、両目間の鼻骨内側空間である篩骨洞１０３、眉毛付近の前頭骨内側空間である前頭洞１０４、及び図６には示されていないが、両目部位の深い内側に位置する蝶形洞を含む。
【００５７】
副鼻腔炎は、副鼻腔内に細菌やウイルスが侵入して炎症が発生したことを意味し、副鼻腔内でも上顎洞１０２に発生する場合が多い。
【００５８】
本発明の一実施例に係る内視鏡１を副鼻腔炎の治療に使用する場合、図６に示すように、ユーザは、挿入部２０を鼻腔１０１に進入させる。
【００５９】
挿入部２０は、本体１０の前端から延長される強性部２１を含むため、鼻腔１０１の入口である鼻孔から一定深さまでは挿入部２０が容易に進入できる。
【００６０】
鼻腔１０１から上顎洞１０２、篩骨洞１０３、前頭洞１０４などに進入する経路は、直線型でない。したがって、強性部２１がそれ以上進入することができなくて、軟性部２２を屈曲させて上顎洞１０２、篩骨洞１０３、前頭洞１０４などに進入しなければならない。
【００６１】
本発明の一実施例に係る内視鏡１は、軟性部２２の前端にレンズ２４、光源２５などを含むイメージ取得ユニット２４、２５、２６を含むため、ユーザは、イメージ取得ユニット２４、２５、２６から伝達される鼻腔１０１及び副鼻腔内の映像情報を確認し、屈曲操作部１３を使用して軟性部２２を屈曲させて軟性部２２が漸進的に前進するようにして軟性部２２の前端が治療が必要な副鼻腔内の空間に進入するようにする。
【００６２】
図６には軟性部２２を上顎洞１０２に進入させた例を図示した。
【００６３】
図７は、本発明の一実施例に係る内視鏡のアプリケータ移動操作部の作動を説明するための図面である。
【００６４】
図７に示すように、本体１０は、アプリケータ移動操作部１４を回転軸Ａ２を中心として回転させると、ワーキングチャネル２３内のアプリケータ４１がワーキングチャネル２３に沿って移動するように構成される。
【００６５】
例えば、ユーザがアプリケータ移動操作部１４を時計方向に回転させると、アプリケータ４１がワーキングチャネル２３に沿って前進して軟性部２２の前端を通して外部に露出され、ユーザがアプリケータ移動操作部１４を反時計方向に回転させると、アプリケータ４１がワーキングチャネル２３に沿って後退して本体１０側に戻ることができる。
【００６６】
図７に示すアプリケータは、ガイドワイヤ４１である。
【００６７】
実施例によって、ガイドワイヤ４１は、アプリケータロッド部３０のローディングホール３１、３２、３３のうちいずれか一つに装着されて使われ、またはアプリケータロッド部３０に装着されないまま使われることができる。
【００６８】
ガイドワイヤ４１がアプリケータロッド部３０に装着されて使われる場合、ガイドワイヤ４１は、アプリケータロッド部３０に装着された他のアプリケータと選択的に使われることができる。
【００６９】
ガイドワイヤ４１がアプリケータロッド部３０に装着されないまま使われる場合、ガイドワイヤ４１は、本体１０を貫通したままアプリケータ移動操作部１４により移動することができる。この場合、ガイドワイヤと共に他のアプリケータが使われることができる。
【００７０】
図６に示すように、ユーザが軟性部２２を屈曲させて軟性部２２の前端が副鼻腔炎が発生した空間（例えば、上顎洞１０２）に向けて前進させる中にまたは空間内に位置するようにした後、図７に示すように、ユーザは、アプリケータ移動操作部１４を操作してガイドワイヤ４１をワーキングチャネル２３を通して前進させ、ガイドワイヤ４１の一部が軟性部２２の前端を通して露出されるようにすることができる。
【００７１】
図６に示すように、鼻腔１０１から上顎洞１０２、篩骨洞１０３、前頭洞１０４に進入する経路は、狭いほうである。そして、副鼻腔炎が発生した場合は、その経路がさらに狭くなる。
【００７２】
したがって、必要な場合、軟性部２２またはアプリケータが進入できる経路内の空間を確保しなければならない。このために、アプリケータのうちバルーンカテーテルを使用することができる。
【００７３】
図８は、アプリケータのうちバルーンカテーテルを使用する例を説明するための図面である。
【００７４】
バルーンカテーテル４２は、膨脹可能なバルーン４２ａと、バルーン４２ａに空気を伝達する流路が形成されたワイヤ４２ｂと、を含む。ワイヤ４２ｂは、内視鏡１の外部に延長されてバルーン４２ａの膨脹のために供給される空気を提供するポンプ（図示せず）と連結されることができる。
【００７５】
バルーンカテーテル４２は、アプリケータロッド部３０のローディングホール３１、３２、３３のうちいずれか一つに装着された状態であり、この場合、ユーザは、アプリケータ選択操作部１２を操作してバルーンカテーテル４２が装着されたローディングホール３１、３２、３３がワーキングチャネル２３と同軸に位置するようにし、アプリケータ移動操作部１４を操作してバルーンカテーテル４２がワーキングチャネル２３を通して軟性部２２の前端側に移動するようにする。
【００７６】
図８に示すように、バルーンカテーテル４２は、ガイドワイヤ４１がワーキングチャネル２３を通して軟性部２２の前端に露出された状態で、ワーキングチャネル２３内でガイドワイヤ４１に沿って前進するように構成されることができる。
【００７７】
ユーザは、イメージ取得ユニット２４、２５、２６から伝達される映像情報を確認し、空間確保が必要な位置にバルーンカテーテル４２のバルーン４２ａが位置するようにアプリケータ移動操作部１４を操作した以後、バルーン４２ａが膨脹されるようにして空間が確保されるようにすることができる。
【００７８】
図９は、他の実施例に係るバルーンカテーテルを示す。
【００７９】
図９に示すように、他の実施例に係るバルーンカテーテル４２′は、ガイドワイヤ４１がワイヤ４２ｂの内部に収容されるように構成されることができる。
【００８０】
この場合、アプリケータ移動操作部１４を操作してバルーンカテーテル４２′を前進させることだけで、バルーンカテーテル４２′がガイドワイヤ４１に沿って移動するようになるため、バルーンカテーテル４２′を副鼻腔に容易に進入させることができる。
【００８１】
図１０は、アプリケータのうちステントカテーテルを使用する例を説明するための図面である。
【００８２】
ステントカテーテル４３は、ステント４３ａとステントケーブル４３ｂを含む。
【００８３】
ステント４３ａは、膨脹が可能な構造を有し、ステントケーブル４３ｂは、ステント４３ａを膨脹させることができる動力またはシグナルなどをステント４３ａに伝達できるように構成されることができる。
【００８４】
例えば、ステント４３ａの内部には膨脹可能なバルーンが含まれており、ステントケーブル４３ｂは、バルーンに空気を供給する流路を含むことで、ステントケーブル４３ｂを通して供給される空気によりバルーンが膨脹することによってステント４３ａが膨脹する構造を有することができる。
【００８５】
ステントカテーテル４３は、アプリケータロッド部３０のローディングホール３１、３２、３３のうちいずれか一つに装着された状態であり、この場合、ユーザは、アプリケータ選択操作部１２を操作してステントカテーテル４３が装着されたローディングホール３１、３２、３３がワーキングチャネル２３と同軸に位置するようにし、アプリケータ移動操作部１４を操作してステントカテーテル４３がワーキングチャネル２３を通して軟性部２２の前端側に移動するようにする。
【００８６】
図１０に示すように、ステントカテーテル４３は、ガイドワイヤ４１がワーキングチャネル２３を通して軟性部２２の前端に露出された状態で、ワーキングチャネル２３内でガイドワイヤ４１に沿って前進するように構成されることができる。
【００８７】
ユーザは、イメージ取得ユニット２４、２５、２６から伝達される映像情報を確認し、ステント４３ａが設置される位置にステントカテーテル４３のステント４３ａが位置するようにアプリケータ移動操作部１４を操作した以後、ステント４３ａが膨脹されるようにしてステント４３ａを設置することができる。
【００８８】
ステント４３ａは、軟性部２２またはアプリケータが通過する空間を確保するために設置され、または薬剤が含まれた状態で炎症部位に設置されて炎症部位を治療するために設置されることができる。
【００８９】
図示されてはいないが、ステントカテーテルも図９に示すバルーンカテーテル４２′と類似するようにガイドワイヤ４１がステントケーブル４３ｂ内に収容されるように構成されることができる。
【００９０】
図１１は、アプリケータのうちチューブを使用する例を説明するための図面である。
【００９１】
チューブ４４も、本実施例に係る内視鏡１のアプリケータとして使われることができる。
【００９２】
チューブ４４は、アプリケータロッド部３０のローディングホール３１、３２、３３のうちいずれか一つに装着された状態であり、この場合、ユーザは、アプリケータ選択操作部１２を操作してチューブ４４が装着されたローディングホール３１、３２、３３がワーキングチャネル２３と同軸に位置するようにし、アプリケータ移動操作部１４を操作してチューブ４４がワーキングチャネル２３を通して軟性部２２の前端側に移動するようにする。
【００９３】
図１１に示すように、チューブ４４は、ガイドワイヤ４１がワーキングチャネル２３を通して軟性部２２の前端に露出された状態で、ワーキングチャネル２３内でガイドワイヤ４１に沿って前進するように構成されることができる。
【００９４】
チューブ４４は、サクションチューブ、洗浄液／消毒液／液状薬剤を噴射するチューブなどとして使われることができる。図１１に示すように、チューブ４４の前端は、針のように鋭く形成されてチューブ４４が注射器のように使われることもできる。
【００９５】
図示されてはいないが、チューブも図９に示すバルーンカテーテル４２′と類似するようにガイドワイヤ４１がステントケーブル４３ｂ内に収容されるように構成されることができる。
【００９６】
前述したように、本発明の一実施例に係る内視鏡１は、軟性部２２の前端にイメージ取得ユニット２４、２５、２６を備え、ガイドワイヤ、バルーンカテーテル、ステントカテーテル、チューブなどのアプリケータを鼻腔を通して副鼻腔に進入させる時、鼻腔／副鼻腔の内部構造を視覚的に確認してアプリケータを進入させるため、周辺組織や構造に損傷を与えずに安全に進入させることができる。
【００９７】
特に、鼻腔／副鼻腔の内部構造を視覚的に確認してアプリケータを進入させるため、初心者も安全に手術及び治療を実行することができる。
【００９８】
また、本発明の一実施例に係る内視鏡１は、治療過程に必要な複数個のアプリケータを装着することができるように構成され、必要によって、内視鏡１に備えられたアプリケータ選択操作部１２を操作することだけで、ワーキングチャネル２３に進入するアプリケータを選択することができるため、ユーザの便宜性及び手術／治療過程に所要される時間を短縮させることができる。
【００９９】
特に、副鼻腔のように狭い空間に進入するためにワーキングチャネル２３を１個で構成せざるをえない内視鏡１の場合は、複数個のアプリケータを装着した状態でワーキングチャネル２３に進入するアプリケータを選択してアプリケータを進退させる操作を全て実行することができるため、ユーザの便宜性及び手術／治療過程に所要される時間を短縮させることができる。
【０１００】
本発明が属する技術分野の通常の知識を有する者は、本発明がその技術的思想や必須な特徴を変更せずに他の具体的な形態で実施可能であることを理解することができる。したがって、以上で記述した実施例は、全ての面で例示に過ぎず、限定するものではないと理解しなければならない。本発明の範囲は、前記詳細な説明よりは後述する特許請求の範囲により開示され、特許請求の範囲の意味及び範囲、そしてその均等概念から導出される全ての変更または変形された形態が本発明の範囲に含まれると解釈されなければならない。
【０１０１】
本発明の実施例に係る副鼻腔進入用内視鏡は、複数の操作部が備えられた本体、前記本体の前端から延長されて鼻腔を通して副鼻腔に挿入され、少なくとも一つのワーキングチャネルが形成された挿入部、及び前記本体に備えられ、前記ワーキングチャネルを通して選択的に進入可能な複数のアプリケータを装着することができるアプリケータロッド部を含む。
【０１０２】
前記アプリケータロッド部は、複数のアプリケータのうちいずれか一つが前記ワーキングチャネルと同軸上に位置するようにすることができる。
【０１０３】
前記複数の操作部は、ユーザの操作により前記アプリケータロッド部を駆動させることで、前記複数のアプリケータのうちいずれか一つを前記ワーキングチャネルの入口に隣接するように位置させるアプリケータ選択操作部を含むことができる。
【０１０４】
前記アプリケータロッド部は、前記アプリケータ選択操作部の操作によって前記複数のアプリケータを回転軸を中心として回転させることができる。
【０１０５】
前記複数の操作部は、ユーザの操作により前記複数のアプリケータのうち前記ワーキングチャネル内に進入したアプリケータを前記ワーキングチャネルを通して移動させるアプリケータ移動操作部を含むことができる。
【０１０６】
前記挿入部は、前記挿入部の前端に備えられてイメージを取得するイメージ取得ユニットを含むことができる。
【０１０７】
前記挿入部は、前記本体の前端から延長される強性部及び前記強性部の前端から延長されて屈曲可能に形成される軟性部を含み、前記複数の操作部は、ユーザの操作により前記軟性部を屈曲させる屈曲操作部を含むことができる。
【０１０８】
前記複数のアプリケータは、ガイドワイヤ、バルーンカテーテル及びステントカテーテルのうち少なくとも一つを含むことができる。
【０１０９】
本発明の実施例に係る副鼻腔進入用内視鏡は、複数の操作部が備えられた本体、前記本体の前端から延長されて鼻腔に挿入される強性部、前記強性部の前端から延長されて屈曲可能に形成され、先端に副鼻腔に挿入される軟性部、前記軟性部の前端に備えられて前記軟性部の前方のイメージを取得するイメージ取得ユニット、及びユーザの操作により前記軟性部を屈曲させる屈曲操作部を含む。
【０１１０】
本発明の実施例に係る内視鏡は、複数の操作部が備えられた本体、前記本体の前端から延長されて患者の身体内に挿入されて少なくとも一つのワーキングチャネルが形成された挿入部、及び複数のアプリケータを装着することができるように構成されて前記本体に回転可能に備えられ、回転角度によって装着された前記複数のアプリケータを前記ワーキングチャネルに整列させるアプリケータロッド部を含む。
【符号の説明】
【０１１１】
１  内視鏡
１０  本体
１１  握り手
１２  アプリケータ選択操作部
１３  屈曲操作部
１４  アプリケータ移動操作部
２０  挿入部
３０  アプリケータロッド部
【図１】
2021516116.tif 000003
【図２】
2021516116.tif 000004
【図３】
2021516116.tif 000005
【図４】
2021516116.tif 000006
【図５】
2021516116.tif 000007
【図６】
2021516116.tif 000008
【図７】
2021516116.tif 000009
【図８】
2021516116.tif 000010
【図９】
2021516116.tif 000011
【図１０】
2021516116.tif 000012
【図１１】
2021516116.tif 000013
【国際調査報告】
2021516116.tif 000014
2021516116.tif 000015
2021516116.tif 000016
2021516116.tif 000017
2021516116.tif 000018
2021516116.tif 000019
2021516116.tif 000020
2021516116.tif 000021
2021516116.tif 000022
2021516116.tif 000023
2021516116.tif 000024
2021516116.tif 000025
2021516116.tif 000026
2021516116.tif 000027
2021516116.tif 000028
2021516116.tif 000029
2021516116.tif 000030
2021516116.tif 000031
2021516116.tif 000032
2021516116.tif 000033